(57)【要約】      （修正有）【課題】紐等を用いることなく、履用時における長靴内部へのごみや水等の侵入を語防止することができる長靴を提供するものである。【解決手段】長靴１０の胴部１２の内側に、脚を通すための穴１８を中央に形成した伸縮性及び遮水性を有する環状の張出し部材１６を備える。長靴の履用時において張出し部材１６は脚に密着し適度に圧迫することにより、張出し部材１６によってごみや液体の長靴１０の内部への侵入を防止し、快適な履用感を維持することができる。【選択図】図１
0003113680.tif 000002
【実用新案登録請求の範囲】
【請求項１】
脚を通すための穴を中央に形成した伸縮性及び遮水性を有する張出し部材を胴部の開口部付近の内側に備えることを特徴とする長靴。
【請求項２】
前記胴部における前記張出し部材より下方位置に通気孔を備えることを特徴とする請求項１記載の長靴。
【請求項３】
前記通気孔を通気性を有する遮水部材で覆うことを特徴とする請求項２記載の長靴。
【考案の詳細な説明】
【技術分野】
【０００１】
本考案は、履用時におけるごみや液体の浸入を防ぐことができる長靴に関するものである。
【背景技術】
【０００２】
通常の長靴は履用時、長靴の上端開口部と長靴に挿入した脚との間にできる隙間から長靴の内部にごみや水等の液体が入り込んでしまい、快適な履用感が損なわれることが多い。これを解消するために、長靴を履いた後、長靴の上端開口部を紐で閉じて、長靴の上端開口部と脚の間に隙間を作らないようにした長靴が、特許文献１に示されている。
【０００３】
ここで、特許文献１の長靴を図５に示す。長靴４０は一般の長靴同様、足のくるぶしより上を覆う胴部４１を有しており、その胴部４１を上方に延長するものであって防水布で作られた短筒部４３を備えている。短筒部４３は上部に絞り用紐通し４５を有し、その絞り用紐通し４５には絞り用紐４７が通っている。従来の長靴４０の利用者はこの絞り用紐４７を絞り、縛っておくことで短筒部分４３と脚とを密着させ、ごみ等の侵入を防ぐことができる。また、以下長靴とは足のくるぶしとそれより下側とを覆うものをいう。
【０００４】
【特許文献１】実開平５−７０３０１号
【考案の開示】
【考案が解決しようとする課題】
【０００５】
従来の長靴４０では、長靴４０に足を入れた際に、絞り用紐４７で長靴４０開口部を絞ってその開口部と脚との隙間を無くし、その後絞り用紐４７縛らなければならず、手間が掛かり面倒であった。長靴４０を脱ぐ際も絞り用紐４７を解き、長靴４０開口部を緩めなければならず同様の手間が掛かっていた。また、絞り用紐４７で絞っているため長靴４０内の空気の逃げ場がなく、そのため長靴内の足が蒸れ、履き心地が芳しくないものが多かった。この他絞り用紐４７を通すための部分、例えば前記短筒部を設けなければならず、デザイン上の制約が多くなって、デザインの自由度が少なくなるという欠点があった。
【０００６】
本考案は、紐等を用いることなく、履用時における内部へのごみや液体の侵入を防ぐことができる長靴を提供することを目的するものである。
【課題を解決するための手段】
【０００７】
本考案は、脚を通すための穴を中央に形成した伸縮性及び遮水性を有する張出し部材を胴部の開口部付近の内側に備えるようにした長靴である。本考案は、前記胴部における前記張出し部材より下方位置に通気孔を備えるものである。本考案は、前記通気孔を通気性を有する遮水部材で覆うようにした長靴である。
【考案の効果】
【０００８】
本考案では、長靴の開口部と脚との間の隙間は、伸縮性及び遮水性を有する張出し部材で閉鎖されているので、長靴内へごみや液体が浸入することを防止することができる。本考案では、長靴に脚を通せば張出し部材が脚に密着して適度な締め付けを行うため、従来の長靴の様に、ごみや液体の浸入を防止するために、紐を締めてから結ぶという手間が要らなくなる。本考案の長靴では更に、脚を外せばそのまま長靴を脱ぐことができ、従来の長靴を脱ぐ際の紐を緩めるという手間の必要ない。また、通気孔を設ける事により、長靴内部の通気性が確保されむれを防止できる。
【実施例１】
【０００９】
本考案に係る実施例を図面に基づいて説明する。図１は本考案に係る長靴を示す平面図、図２は図１の長靴の開口部付近を示す断面図である。長靴１０における胴部１２の上端付近の内壁に、内部空間１４側に向けて張り出す環状の張出し部材１６を取付ける。張出し部材１６は伸縮性と遮水性を兼ね備えた素材であればどのようなものでも良いが、経済性の点からゴムを用いるのが望ましい。張出し部材１６の中央には脚を挿入するための穴１８が形成され、この穴１８の内径は、脚を入れた際に脚に密着して脚を適度に締め付ける大きさとする。
【００１０】
張出し部材１６を胴部１２の上端付近の内壁に設ける位置は、開口部２０よりやや下方に設けるのが望ましい。胴部１２には、張出し部材１６の取付け位置より直ぐ下方に通気孔２２を形成しても良い。通気孔２２は図示しない通気性を有する遮水部材２４で塞ぐ様にしてもよい。通気性を有する遮水部材２４としては、ゴアテックス（登録商標）などがよく知られているが、これに限定するものではなく遮水性と通気性を兼ね備える素材であればよい。通気孔２２に通気性を有する遮水部材２４を設ける事により、通気孔２２位置での遮水性と通気性が同時に確保できる。なお、通気孔２２はその個数、大きさは長靴１０全体の大きさ等から勘案し適宜決めればよい。
【００１１】
図３は長靴１０の履用時を表しており、図３は長靴１０の内部空間１４に脚を入れる際、図４は長靴１０を脱ぐ際の張出し部材１６の動きを示すものである。図３において張出し部材１６の穴１８から長靴１０の内部空間１４に向けて脚２６を入れると、張出し部材１６はその伸縮性によって図３に示す様に脚２６の周囲に密着し、適度に脚２６を締め付けて長靴１０と脚２６との間の隙間を覆う。長靴１０と脚２６との間の隙間からゴミや液体が長靴１０の内部空間１４に入り込もうとするが、遮水性を有する張出し部材１６の存在によって内部空間１４にゴミや液体が入り込むのを防止することができる。なお、脚２６の外側はズボン等（図示せず）で一般的に覆われており、張出し部材１６で阻止された液体がズボン等に沁み込むことがあるが、長靴１０の内部に液体が沁みることを防止することができる。また、直ちにズボンを長靴１０から抜けば、長靴１０の内部に液体が侵入することを確実に防止することができる。
【００１２】
図４に示す様に長靴１０から脚２６を引き抜く際に、脚２６の動きに伴い張出し部材１６も上方に持ち上がる。張出し部材１６の取付け位置を開口部２０より下方にすることで、外見からは張出し部材１６の存在がわかりにくく、一般の長靴と見かけ上変わらないものとすることができ、ファッションの性を損ねることはない。
【図面の簡単な説明】
【００１３】
【図１】本考案に係る長靴を示す平面図である。
【図２】図１の長靴の開口部付近を示す断面図である。
【図３】長靴に脚を挿入した状態を示す図２相当図である。
【図４】長靴から脚を抜く状態を示す図２相当図である。
【図５】従来の長靴の側面図である。
【符号の説明】
【００１４】
１０  長靴
１２  胴部
１４  内部空間
１６  張出し部材
１８  穴
２２  通気孔
２４  遮水部材
【図１】
0003113680.tif 000003
【図２】
0003113680.tif 000004
【図３】
0003113680.tif 000005
【図４】
0003113680.tif 000006
【図５】
0003113680.tif 000007